(57)【要約】【課題】  外観特性や切換操作性を向上したり、蓋体が衝撃荷重により不用意に開位置に切り換えられる虞を解消したり、更に簡素化を図る。【解決手段】  可動体２を本体１側の第１位置と第２位置とに切り換える作動方向反転機構において、可動体２の位置切り換え持にそれぞれ使用されて押し力を解放すると元の位置に復帰可能な釦４と、釦の押し操作に連動して摺動される移動体５と、移動体に対し一端側が枢支されると共に、負荷を受けると付勢力に抗して揺動され、負荷の解放により中立位置に復帰可能な押圧体６と、可動体側のギヤ部又はラック部に噛合していると共に長溝７４を形成しているギヤ体７と、ギヤ体７に対し回動可能に組み付けられて回動中心を挟んで突起６６及び孔部６７を形成している反転体６５と、一端が位置固定され、他端が付勢力を発現した状態で孔部６７からギヤ体７の長溝７４に貫通されているばね部材８とを備えている。【選択図】        図７
2006307911.tif 000002
【特許請求の範囲】
【請求項１】
可動体を本体側の第１位置と第２位置とに切り換える作動方向反転機構において、
前記可動体を第１位置から第２位置及び第２位置から第１位置に切り換えるときにそれぞれ使用されて押し力を解放すると元の位置に復帰可能な単一の操作用釦と、
前記釦の押し操作に連動して該釦の移動方向と異なる方向に摺動される移動体と、
前記移動体に対し一端側の軸を支点として枢支されると共に、負荷を受けると付勢力に抗して揺動され、負荷の解放により中立位置に復帰可能な押圧体と、
前記可動体に設けられたギヤ部又はラック部に噛合していると共に、回動中心と外周との間に長溝を形成しているギヤ体と、
前記ギヤ体に対し回動可能に組み付けられて、回動中心を挟んで突起及び孔部を形成している反転体と、
一端が位置固定され、他端が前記反転体の孔部から前記ギヤ体の長溝に貫通されているターンオーバー用ばね部材とを備え、
前記釦が押圧されると、前記移動体及び前記押圧体が前記ギヤ体側へ摺動されて、前記押圧体の対応端面部が前記反転体の突起又はばね部材の他端に当接して、前記ばね部材が付勢力を増大する方向へ前記反転体を回動した後、増大された付勢力により前記ギヤ体及び反転体を一体的に回動して、前記可動体を第１位置から第２位置又は第２位置から第１位置に切り換えることを特徴とする作動方向反転機構。
【請求項２】
前記押圧体は、前記移動体に設けられたガイド溝に嵌合する軸部を有し、前記ガイド溝の案内作動を伴って前記一端側の軸を支点として上下方向に揺動される請求項１に記載の作動方向反転機構。
【請求項３】
略コ形の板ばねを有し、前記移動体に対し前記板ばねをコ形の中間片部で支持した状態で、前記板ばねのコ形両側片部間に前記押圧体を挟持して前記中立位置に保っている請求項１又は２に記載の作動方向反転機構。
【請求項４】
前記押圧体は、前記移動体に設けられたガイド溝を貫通し、かつ前記移動体を摺動自在に保持している固定部に設けられた凹部に対し、前記移動体と共に初期位置まで摺動されたときに係止される凸部を有している請求項１から３の何れかに記載の作動方向反転機構。
【請求項５】
蓋体を本体の対応面に対し該対応面を覆う閉位置と開放する開位置とに切り換える蓋開閉装置において、
請求項１から４の何れかに記載の作動方向反転機構を、前記可動体を前記蓋体とし、前記第１位置を蓋体の閉位置とし、前記第２位置を蓋体の開位置として適用していることを特徴とする蓋開閉装置。
【発明の詳細な説明】
【技術分野】
【０００１】
本発明は、可動体を本体に設定されている第１位置（例えば、閉位置）と第２位置（例えば、開位置）とに釦操作により切り換える作動方向反転機構及びそれを適用した蓋開閉装置に関するものである。
【背景技術】
【０００２】
図１３は特許文献１に開示された蓋開閉装置を示している。この蓋開閉装置は、２分割された蓋体（ドア体）１４，１６を同期して開位置と閉位置とに切り換えるものである。機構特徴は、開釦１８及び閉釦２０と、Ｚ状アーム５８，６４と、大ギヤである回転体３２と、一端５０Ａが回転体３２の係合溝４４に係合し他端５０Ｂが本体側に軸５２を介して支持された反転式スプリング５０などを備えている。なお、開釦１８は軸５４を介しアーム５８の一端５８Ａに連結され、閉釦２０は軸６０を介しアーム６４の一端６４Ａに連結されている。符号３０は蓋体１６側の小ギヤであり、回転体３２に噛み合っている。符号３８は蓋体１４のうちアーム５８を配置している側と対向する側面に設けられた小ギヤである。該小ギヤ３８はアイドルギヤを介して蓋体１６の対応側の小ギヤと噛み合っている。この機構では、蓋体１４，１６が同（ａ）の閉位置にある状態で、開釦１８を押し込むと、アーム５８が穴６８に嵌合している軸６６を中心に回転し、該アーム５８の下端先端部５８Ｃがスプリング５０の連結部５０Ａを押圧し、回転体３２の係合溝４４に沿って、左側端部４４Ａ（安定点）から右側端部４４Ｂ方向へ移動されると共に、スプリング５０の連結部５０Ａが中立点を超え係合溝４４の右側の端部４４Ｂへ移動する。すると、回転体３２には、スプリング５０の分力として、回転体３２を反時計方向に回転させる力が作用する。このため、開釦１８から手を離しても、スプリング５０の付勢力により回転体３２が蓋体１４，１６を開方向へ回転する。一方、蓋体１４，１６が同（ｂ）の開位置にある状態で、閉釦２０を押し込むと、アーム６４が軸６６を中心に回転し、該アーム６４の下端先端部６４Ｃがスプリング５０の連結部５０Ａを係合溝４４に沿って、右側端部４４Ｂ（安定点）から左側端部４４Ａ方向へ移動されると共に、スプリング５０の連結部５０Ａが中立点を超え係合溝４４の端部４４Ａへ移動すると、回転体３２には、スプリング５０の分力として、回転体３２を時計方向に回転させる力が作用する。このため、閉釦２０から手を離しても、スプリング５０の付勢力により回転体３２が蓋体１４，１６を閉方向へ回転する。
【０００３】
【特許文献１】特開２００２−３６２２３７号公報
【発明の開示】
【発明が解決しようとする課題】
【０００４】
上記特許文献１の機構では、蓋体を対応した釦操作により閉から開位置にしたり開か閉位置に切り換えるが、開釦及び閉釦が並設されている関係で、釦用配置部や操作スペースが増えるだけではなく、ドライバーや乗員が目的の釦を間違えて押し込めるという虞がある。これは、釦を間違えて押すと、蓋体が開位置に付勢力で切り換えられるため安全性を損ねる要因となる。本発明者らは、そのような問題を解消するため単一の釦で開及び閉操作を兼ねる機構を開発した（特願２００４−１４１６１６）。本発明は、その機構を更に改良し、簡素化を図ることと誤作動が生じ難い機構を実現することを目的としている。
【課題を解決するための手段】
【０００５】
上記目的を達成するため請求項１の発明は、図１〜図１０の構造、図１１の構造、図１２の構造に共通した構成を特定したもので、可動体を本体側の第１位置と第２位置とに切り換える作動方向反転機構において、前記可動体を第１位置から第２位置及び第２位置から第１位置に切り換えるときにそれぞれ使用されて押し力を解放すると元の位置に復帰可能な単一の操作用釦と、前記釦の押し操作に連動して該釦の移動方向と異なる方向に摺動される移動体と、前記移動体に対し一端側の軸を支点として枢支されると共に、負荷を受けると付勢力に抗して揺動され、負荷の解放により中立位置に復帰可能な押圧体と、前記可動体に設けられたギヤ部又はラック部に噛合していると共に、回動中心と外周との間に長溝を形成しているギヤ体と、前記ギヤ体に対し回動可能に組み付けられて、回動中心を挟んで突起及び孔部を形成している反転体と、一端が位置固定され、他端が前記反転体の孔部から前記ギヤ体の長溝に貫通されているターンオーバー用ばね部材とを備え、前記釦が押圧されると、前記移動体及び前記押圧体が前記ギヤ体側へ摺動されて、前記押圧体の対応端面部が前記反転体の突起又はばね部材の他端に当接して、前記ばね部材が付勢力を増大する方向へ前記反転体を回動した後、増大された付勢力により前記ギヤ体及び反転体を一体的に回動して、前記可動体を第１位置から第２位置又は第２位置から第１位置に切り換えることを特徴としている。
【０００６】
また、請求項５の発明は、以上の機構を具備した装置として捉えたもので、蓋体を本体の対応面に対し該対応面を覆う閉位置と開放する開位置とに切り換える蓋開閉装置において、請求項１から４の何れかに記載の作動方向反転機構を、前記可動体を前記蓋体とし、前記第１位置を蓋体の閉位置とし、前記第２位置を蓋体の開位置として適用していることを特徴としている。
【０００７】
以上の各発明は、操作用釦が単一であるため特許文献１のように開釦及び閉釦を設ける構造に比べ釦を間違えて押すという虞を解消できることに加え、釦用の設置スペースを半減したり、外観意匠性を改善し易くなる。また、特願２００４−１４１６１６に記載の構造に比べて、ハートカム方式の係止手段を使用していないため機構を簡素化したり誤作動の発生をより確実になくすことができる。
【０００８】
以上の本発明は請求項２〜４のように具体化することがより好ましい。すなわち、前記押圧体は前記移動体に設けられたガイド溝に嵌合する軸部を有し、前記ガイド溝の案内作動を伴って前記一端側の軸を支点として上下方向に揺動されること（請求項２）、略コ形の板ばねを有し、前記移動体に対し前記板ばねをコ形の中間片部で支持した状態で、前記板ばねのコ形両側片部間に前記押圧体を挟持して前記中立位置に保っていること（請求項３）、前記押圧体は前記移動体に設けられたガイド溝を貫通し、かつ前記移動体を摺動自在に保持している固定部に設けられた凹部に対し、前記移動体と共に初期位置まで摺動されたときに係止される凸部を有していること（請求項４）が好ましい。
【発明の効果】
【０００９】
以上の本発明では次のような利点を具備できる。
・請求項１と５の発明では、開釦及び閉釦を設けた従来構造に比べて操作用釦が単一であるため釦を間違えて押すという虞がなく、釦用の設置スペースを半減したり、外観や意匠性を向上できる。同時に、可動体（蓋体）が図７の例において同（ａ）の第１位置（閉位置）と同（ｂ）の第２位置（開位置）とで共にばね部材の付勢力を受け、該付勢力でその状態を保つことも可能なことから、従来のラッチ等の係止手段及びそれに要求されている衝突荷重による誤作動の発生をなくするという厄介な課題を解消できる。
【００１０】
・請求項２の発明では、押圧体が例えば図７（ａ）から図９、又は、図７（ｂ）から図１０のごとく移動体に対し一端側の軸を支点として揺動される際、軸部が嵌合しているガイド溝の案内作動により良好かつ安定に揺動されるようにし、それにより切換作動を確実に維持できるようにする。
・請求項３と４の発明では、押圧体が中立位置から揺動された後、負荷の解放により再び中立位置に復帰する構成として、簡易化及び作動の確実性を具備できるようにする。
【発明を実施するための最良の形態】
【００１１】
本発明の最良の形態を図１〜図１０を参照しながら説明する。図１と図２は作動方向反転機構を適用した蓋開閉装置例を示し、図３〜図６は作動方向反転機構の要部を示し、図７〜図１０はその機構の要部作動を示している。また、図１１と図１２は作動方向反転機構の他の適用例を示している。以下の説明では、概要、要部構造、作動、変形例の順で詳述する。
【００１２】
（概要）発明対象の作動方向反転機構は、図７や図１１及び図１２に例示されるように、可動体として蓋体２（２Ａ，２Ｂ）又は蓋体２Ｃや２Ｄを単一の操作用釦４の押操作により本体１の対応部（開口やスイッチ等の操作面）に対し該対応部を覆う閉位置（第１位置）と開放する開位置（第２位置）とに回動式やスライド式に切り換えるときに好適な機構であり、ケース３に組み付けられてユニット化されている。ここで、蓋体は、扉やカバー等と同じ意味で使用しており、図１〜図１０のごとく２分割タイプに限られず、図１１の蓋体２Ｃや図１２の蓋体２Ｄのごとく蓋単一形態でもよい。本体は、機器や装置のハウジングやボックス等と同じ意味で使用している。
【００１３】
（要部構造）図１〜図１０の形態は、特許文献１と同様に車両用コンソールボックスが矩形箱状の収納部を形成しており、該収納部に収容配置される本体１の上開口を開閉する機構である。装置ないしは機構特徴は、単一の操作用釦４と、釦４の押し操作に連動して摺動される移動体５と、移動体５に対し一端側の軸６２を支点として枢支されている押圧体６と、蓋体側に設けられたギヤ部２５又はラック部２９に噛合している駆動用ギヤ体７と、ギヤ体７に対し単独及び連動して回動可能に組み付けられている反転体６５と、一端８ａが位置固定され、他端８ｂがギヤ体７の対向壁部に設けられている一方側長溝７２、反転体６５に設けられている孔部６７、ギヤ体７の対向壁部に設けられている他方側の長溝７２に貫通されているターンオーバー用ばね部材８とを少なくとも備え、釦４の押操作によって蓋体２を閉から開位置又は開から閉位置へそれぞれ切換可能にする。なお、蓋分割形態の場合は、図１１や図１２の蓋単一形態に比べて一方の蓋体２Ａに他方の蓋体２Ｂを連動して切換可能にする動力伝達手段９などが追加される。また、釦４、移動体５、押圧体６、ギヤ体７、反転体６５、ばね部材８はケース３に設けられてユニット化されている。細部は以下の通りである。
【００１４】
本体１は、前後壁１１，１２と、底壁１３と、両側壁１４などにより上開口した容器状となっており、図７や図８のごとく前壁１１及び後壁１２に対向して突設された対の軸２４などを有している。また、後壁１２には、上述したケース３が複数のねじ等を介し取り付けられる。これに対し、蓋体２Ａ，２Ｂは、前後のアーム部２０，２１又は２２，２３が本体１の対応する前後壁１１，１２に対し軸２４を介し枢支されて、該軸２４を支点として閉位置と開位置とに回動切り換えられる。また、蓋体２Ａの前側のアーム部２０と、蓋体２Ｂの前後のアーム部２２，２３には、軸２４を中心とした円弧状周囲部に連続した歯形状、つまりギヤ部２５又は２６が形成されている。
【００１５】
以上の蓋体２Ａ，２Ｂは、本体１に軸２４を介しそれぞれ枢支された後、本体１の前壁１１にあって動力伝達手段９と連携されると共に、本体１の後壁１２にあって発明の作動方向反転機構と連携される。動力伝達手段９は、図８に示されるように、前壁１１に位置して、蓋体２Ａの前側アーム部２０と蓋体２Ｂの前側アーム部２２との間に軸２７等を介しそれぞれ枢支されて互いに噛み合っている対のアイドルギヤ９Ａ，９Ｂからなる。そして、この動力伝達手段９は、例えば、蓋体２Ｂが軸２４を支点として開方向へ回動されると、各噛み合いにより蓋体２Ａが軸２４を支点として蓋体２Ｂと同期して開方向へ回動されるようにする。図８中、符号２８は両端がアイドルギヤ９Ａ，９Ｂの対応部にねじ等で係止されているコイルばねである。該コイルばね２８は、蓋体２Ａ，２Ｂが閉から開位置、及び開から閉位置にそれぞれ切り換えられる途中で付勢方向を反転するよう設けられている。換言すると、コイルばね２８は、例えば、蓋体２Ａ，２Ｂが閉から開方向へ切り換えられる途中位置まではバネチャージ（付勢力を蓄える意味）し、開位置に達する少し手前で付勢方向を反転して当該付勢力により途中位置から開位置へ自動的に回動切り換える。このような反転式ばね２８は、発明の作動方向反転機構に必須ではないが、蓋体の重量が過大になったり回動又はスライド抵抗が過大になるようなときにばね部材８の付勢力を補強して自動切換作動が維持されるようにする。
【００１６】
前記ケース３はベース３０とカバー３５とで内部を区画している。ベース３０は、図３に示されるように、上側略矩形部分及び下側舌状部分からなり、上側略矩形部分の４隅に設けられた間隔及び連結兼用の規制軸３１ａ〜３１ｄ、上側中間部に設けられた軸受部３２、軸受部３２と並設されている軸部３２ａ、下側舌状部分に設けられてばね部材８の一端８ａを不図示のねじで止める取付孔３１ｅ、ギヤ体７等を枢支する軸部３３、軸部３３を中心として筒状に区画している略円筒状部３４、円筒状部３４の筒内外を貫通している切欠部３４ａなどを有している。
【００１７】
これに対し、カバー３５は、図１に示されるように、ベース３０より深い容器状をなし、内側にあって規制軸３１ａ〜３１ｄと嵌合する不図示のボス部及び該各ボス部を貫通している連結孔３６ａ〜３６ｄ、上側に設けられている釦配置用枠部３７及び枠部３７の底面から上下に貫通した状態に設けられている不図示の釦用ガイド筒及び該ガイド筒の近くに設けられている軸部、略中央部内側に突設されている係合枠３８及び該係合枠の中央部を貫通している取付孔３８ａなどを有している。係合枠３８には固定板３９が装着されている。つまり、固定板３９は、略矩形板からなり、板外面側に設けられた凸部３９ａと、板内面側に設けられた逃げ溝３９ｂと、逃げ溝３９ｂの片側部分に設けられて逃げ溝３９側から一端側に近づくに従って上下中間位置に収束される凹部３９ｃとを有し、凸部３９ａが係合枠３８に係合されることで仮止めされ、不図示のねじが取付孔３８ａを介して係止されることでカバー３５に対し装着される。
【００１８】
以上のベース３０とカバー３５は、ベース３０に対しギヤ体７とばね部材８並びに歯車部材４５などを組み付け、カバー３５に対し釦４と移動体５並びに押圧体６などを組み付けた状態から、不図示のねじ等により連結され、又、そのユニット状態で本体１の後壁１４に対しねじ等により取り付けられることになる。
【００１９】
このうち、まず、釦４は、図３に示されるように、略矩形板状をなし、下面に枠部４ｂを一体に突出し、該枠部４ｂに対しラック部材４０を連結している。ラック部材４０は、図４のごとく片側面に設けたラック４１と、上側の連結爪４２と、図６のごとく内面に突設した突起４３などを有している。そして、この釦４は、カバー３５に対しラック部材４０が枠部３７内から前記ガイド筒を貫通した状態に保持されるとともに、釦４と枠部３７の底面との間に配置される対の付勢ばね４４の付勢力により、釦４が押操作された後、該押し力を解放したときにほぼ一定高さ位置に復帰可能となっている。なお、図５及び図６の符号１５は支持板である。該支持板１５は、突起４３と嵌合するガイド孔１５ａ、ベース３０の軸部３２ａと後述する歯車部材４５の軸部４６を通す逃げ孔１５ｂ，１５ｃなどを有し、ベース３０とラック部材４０との間に配置される。
【００２０】
移動体５は、縦断面が概略コ形をなし、カバー３５の係合枠３８に装着される固定板３９をコ形の上下片部５０，５０内に嵌合した状態で、該固定板３９に対し横方向へ摺動自在に支持される。すなわち、移動体５は、図３と図４に示されるように、上下片部５０，５０を接続している板部分５１に設けられた２つの円弧状のガイド溝５２，５３と、上片部５０に沿って設けられたラック部５４と、板部分５１の内面一端側に設けられた軸部５５と、軸部５５の上下に設けられたボス部５６及びボス５６同士の間に設けられた片部５７などを有している。そして、移動体５には板ばね５９がボス部５６及び片部５７を介して組み付けられる。この板ばね５９は、略コ形状に形成され、中間部５９ａが片部５７と軸部５５との間に支持された状態で、両片部５９ｂが弾性力を発現した状態で対応するボス部５６の内側に配置されている。
【００２１】
以上の移動体５には押圧体６が軸部５５に枢支される。該押圧体６は、移動体５より少し長くなっていて、軸部５５に嵌合する軸孔６０と、自由端側の端面６１に設けられた上下の凹部６１ａ，６１ｂと、ガイド溝５２に摺動自在に嵌合する凸部６２と、ガイド溝５３に抜け止めかつ摺動自在に嵌合する略Ｌ形の軸部６３などを有している。そして、押圧体６は、移動体５に対し、軸部５５と軸孔６０との嵌合を介して揺動可能に取り付けられるとともに、基端側が板ばね５９の両片部５９ｂ，５９ｂに挟み込まれることにより、負荷を受けると板ばね５９の付勢力に抗して負荷方向である上又は下側へ揺動され、負荷の解放により中立位置に復帰可能になっている。
【００２２】
また、移動体５は、ラック部５４とラック部材４０のラック４１との間に歯車部材４５が介在され、該歯車部材４５の回動により固定板３９に対し摺動される。すなわち、歯車部材４５は、ベース３０の軸受部３２に嵌合される軸部４６と、ラック部材４０のラック４１と噛み合っているピニオン４７と、移動体５のラック部５４と噛み合っている径大のギヤ部４８とを有し、軸受部３２などに対し回動自在に支持される。そして、歯車部材４５は、釦４の押操作によりラック部材４０を下移動すると、ラック４１とピニオン４７との噛み合いを介して回動される。その結果、移動体５は、ラック部５４とギヤ部４８との噛み合いを介して横方向へ摺動される。
【００２３】
ギヤ体７は、蓋体２Ｂのギヤ部２５と噛合する歯部７１を外周に形成している本体部分７０と、本体部分７０の外端面側に隙間を保って一体に設けられた半袋状の支持部７２とで輪郭を区画し、本体部分７０及び支持部７２に対し軸孔７３と長溝７４とを連通状態に形成している。歯部７１は、本体部分７０の対応部が円筒状部３４内から不図示の切欠部を介し外へ配置された状態で、ギヤ部２５と噛合する。軸孔７３はギヤ体７の中心に設けられている。長溝７４はギヤ体の中心と外周との間に設けられている。図４中の符号７５は、本体部分７０の外端面に設けられた摺動特性を保つためのリブである。
【００２４】
反転体６５は、本体部分７０と支持部７２との間に配置される大きさの概略半円盤状に形成され、中心部に設けられた軸孔６６と、支持部７２に対向する端面側にあって軸孔６６を挟んだ箇所に設けられている突起６８及び孔部６７とを有している。そして、以上の反転体６５は、本体部分７０と支持部７２との間に配置された状態で、ベース３０に対し軸部３３が本体部分７０の軸孔７３、反転体６５の軸孔６６、支持部７２の軸孔７３に挿通され、更に支持部７２の外面に配置されるリング７７に挿通された状態から、ねじ７６が軸部３３の先端穴に係止されることで、ギヤ体７と共に回動可能に組み付けられる。この場合、軸部３３には、まず、カラー７８が回動可能に枢支された後、ギヤ体７及び反転体６５が枢支される。該カラー７８は、孔部６７と同じ孔部を有し、その孔部からばね部材８の他端８ｂが貫通される。
【００２５】
以上の反転体６５は、ばね部材８及び長溝７４により、図７（ａ）と図９から推察されるように軸部３３を中心としてギヤ体７に対し単独で回動可能で、かつ、図９と図７（ｂ）から推察されるように軸部３３を中心としてギヤ体７と同期して回動可能となる。すなわち、ばね部材８は、全体形状が概略Ｖ形であり、一端８ａと他端８ｂとの間に巻回部８ｃを形成している。一端８ａは、ベース３０の取付孔３１ｅにねじ等を介して係止される。他端８ｂは、保護チューブを装着しており、付勢力を発現しながら切欠部３４ａからベース３０の円筒状部３４内に配置された後、前記したカラー７８の孔部、本体部分７０の長溝７４、反転体６５の孔部６７、支持部７２の長溝７４から外へ突出されている。
【００２６】
（作動）次に、以上の蓋開閉装置の主な作動を図７〜図１０を参照して説明する。図７（ａ）及び図８（ａ）の実線は蓋体の閉位置を示し、図７（ｂ）及び図８（ｂ）は蓋体の開位置を示している。図９は蓋体が閉から開位置に切り換えられるときの主部材の動きを模式的に示し、図１０は蓋体が開から閉位置に切り換えられるときの主部材の動きを模式的に示している。
【００２７】
蓋体の閉位置において、蓋体２Ｂは、図７（ａ）のごとくギヤ体７がばね部材８の付勢力を（長溝７４の一端に当接している他端８ｂを介し）受けて逆時計回りの方向へ回動されるためその付勢力に比例した力で閉位置に保持される。また、蓋体２Ａ，２Ｂは、図８（ａ）のごとく各ギヤ部２６と噛み合っている両アイドルギヤ９Ａ，９Ｂに係止されているコイルばね２８のばね圧に応じた強さで閉位置に保持される。
【００２８】
図９は蓋体を開位置に切り換えるため釦４を不図示の付勢ばね４４の付勢力に抗して下向きに押操作した状態を示している。このように、釦４が指等により押されて下降されると、歯車部材４５はピニオン４７とラック部材４０のラック４１との噛み合いを介して時計回りに回動される。同時に、移動体５は、ギヤ４８とラック部５４との噛み合いを介して押圧体６と一緒に左側へ摺動されると、押圧体６の自由端面６１のうち、下側凹部６１ｂがばね部材８の他端８ｂに嵌合する。押圧体６は、移動体５を介して更に左側へ摺動される過程で、前記嵌合状態を維持して、ばね部材８の付勢力を増大しながら、他端８ｂを長溝７４の一端から他端まで変位させる。反転体６５は、その変位により単独で時計回りに回動される。その後、釦４の押し力を解放する。すると、ギヤ体７及び反転体６５は、ばね部材８の増大された付勢力により、他端８ｂに押圧されながら一緒に時計回りに回動される。蓋体２Ｂはそのギヤ体７の回動によりギヤ部２５と歯部７１との噛み合いを介し、及び蓋体２Ａはアイドルギヤ９Ａ，９Ｂとギヤ部２６との噛み合いにより開位置まで自動的に回動切り換えられる。なお、このようにして、蓋体２Ａ，２Ｂは、開位置に切り換えられた状態において、ばね部材８の付勢力及びコイルばね２８の付勢力にて開位置に保持される。釦４及び移動体５などは図７（ａ）の初期位置に復帰される。このとき、移動体５は、押圧体６の凸部６２が固定板３９の凹部３９ｃに係止されることで初期位置に確実に復帰される。
【００２９】
図１０は蓋体２Ａ，２Ｂを開から閉位置に切り換えるため釦４を押操作した状態を示している。このように、釦４が再び押されて下降されると、歯車部材４５はピニオン４７とラック部材４０のラック４１との噛み合いを介して時計回りに回動される。同時に、移動体５は、ギヤ４８とラック部５４との噛み合いを介して押圧体６と一緒に左側へ摺動されると、押圧体６の自由端面６１のうち、上側凹部６１ａが反転体６５の突起６８に嵌合する。押圧体６は、移動体５を介して更に左側へ摺動される過程で、前記嵌合状態を維持して、ばね部材８の付勢力を増大しながら、他端８ｂを長溝７４の他端から一端側の途中まで変位させる。反転体６５は、その変位により単独で逆時計回りに回動される。その後、釦４の押し力を解放する。すると、ギヤ体７及び反転体６５は、ばね部材８の増大された付勢力により、他端８ｂが長溝７４の一端側に当接し、更に他端８ｂで押圧されながら一緒に逆時計回りに回動される。蓋体２Ｂはそのギヤ体７の回動によりギヤ部２５と歯部７１との噛み合いを介し、及び蓋体２Ａはアイドルギヤ９Ａ，９Ｂとギヤ部２６との噛み合いにより閉位置まで自動的に回動切り換えられる。なお、このようにして、蓋体２Ａ，２Ｂは、閉位置に切り換えられた状態において、ばね部材８の付勢力及びコイルばね２８の付勢力にて閉位置に保持される。
【００３０】
（変形例）図１１と図１２の各変形例は、単一の蓋体２Ｃ又は２Ｄを閉位置と開位置とに切り換える一例である。そのうち、図１１の蓋体２Ｃは回動されるタイプであり、図１２の蓋体２Ｄはスライドされるタイプである。これらの説明では、上記形態と作動的に同じ部材及び部位に同一符号を付し、変更点だけを詳述する。
【００３１】
図１１の蓋開閉装置では、上記形態から蓋体２Ａ及び動力伝達手段９を省略した構成であり、それ以外は実質的に同じくしている。また、この蓋開閉装置では、上記コイルばね２８に対応するコイルばねを用いることができる。その場合、コイルばねは、ばね両端が蓋体２Ｃ（上記形態の蓋体２Ｂに対応している）の前側アーム部と本体１Ａの前壁対応部とに係止されることになる。
【００３２】
図１２の蓋開閉装置では、上記形態に比べて、蓋体２Ｄが本体１Ｂに対し凹凸嵌合等のガイド手段を介して水平方向に摺動されて、図１２（ａ）の閉位置と図１２（ｂ）の開位置とにスライド式に切り換えられる構成例である。この蓋開閉装置では、蓋体２Ｄが下面側に設けられたラック部２９を有し、該ラック部２９をギア体７の歯部７１に噛合している。そして、作動方向反転機構としては、ラック部２９を除いて上記形態と実質的に同じくしている。つまり、蓋体２Ｄは、ラック部２９と歯部７１との噛み合いにより開位置と閉位置とにスライド式に切り換えられることになる。
【００３３】
以上のように、本発明の作動方向反転機構及び蓋開閉装置は、課題に挙げたような問題を一掃して蓋体が衝撃荷重により不用意に開位置に切り換えられる虞を確実になくしたり、開閉操作性を向上したり、配置スペースや外観特性を改善できる。勿論、本発明は、上記した形態例及び変形例に何ら制約されるものではなく、各手段の細部については種々変更可能なものである。
【図面の簡単な説明】
【００３４】
【図１】形態例の蓋開閉装置を本体の前後一方向側から見た概略外観図である。
【図２】図１の蓋開閉装置をケースカバーを外した状態で示す概略構成図である。
【図３】図２の装置要部を分解した模式分解図である。
【図４】上記装置要部を図３と異なる側から見た模式分解図である。
【図５】上記装置要部を図３と同じ方向から見た模式構成図である。
【図６】上記装置要部を図４と同じ方向から見た模式構成図である。
【図７】（ａ）は蓋体の閉位置での機構部を示し、（ｂ）は蓋体の開位置での機構部を示す作動図である。
【図８】図７と異なる側を図７（ａ），（ｂ）に対応させて示す作動図である。
【図９】図７（ａ）の態様で釦を押圧したときの状態を示す作動図である。
【図１０】図７（ｂ）の態様で釦を押圧したときの状態を示す作動図である。
【図１１】蓋体が単一構成の場合を図７に対応させて示す変形例である。
【図１２】蓋体がスライド方式の場合を図７に対応させて示す変形例である。
【図１３】蓋開閉機構の従来例を示す説明図である。
【符号の説明】
【００３５】
１…本体（１１は前壁、１２は後壁）
２，２Ａ〜２Ｄ…蓋体（２０〜２３はアーム部、２５，２６はギヤ部）
３…ケース（３０はベース、３５はカバー）
４…操作用釦（４０はラック部材、４１はラック）
５…移動体（５０は上下片部、５２，５３はガイド溝、５４はラック、５５は軸部）
６…押圧体（６０は軸孔、６１ａ，６１ｂは端面の凹部、６２は凸部、６３は軸部）
７…ギヤ体（７０は本体部分、７１は歯部、７２は支持部、７４は長溝）
８…ターンオーバー用ばね部材（８ａは一端、８ｂは他端、８ｃは巻回部）
９…動力伝達手段（９Ａ，９Ｂはアイドルギヤ）
２５，２６…ギヤ部
２９…ラック部
３９…固定板（固定部に相当し、３９ｃは凹部）
４４…付勢ばね
４５…歯車部材（４７はピニオン、４８は大径のギヤ部）
５９…板ばね（５９ａは両側片部、５９ｂは中間片部）
６５…反転体（６６は軸孔、６７は孔部、６８は突起）
【図１】
2006307911.tif 000003
【図２】
2006307911.tif 000004
【図３】
2006307911.tif 000005
【図４】
2006307911.tif 000006
【図５】
2006307911.tif 000007
【図６】
2006307911.tif 000008
【図７】
2006307911.tif 000009
【図８】
2006307911.tif 000010
【図９】
2006307911.tif 000011
【図１０】
2006307911.tif 000012
【図１１】
2006307911.tif 000013
【図１２】
2006307911.tif 000014
【図１３】
2006307911.tif 000015